(57)【要約】【課題】ユーザが日常生活における殆どの行動について、後で分析したり、追体験を行うことができ、且つ小型で安価な記録システムを提供する。【解決手段】リモコン４周辺の環境が変化したときや、リモコン４が操作されたときに、撮像装置２による撮像が開始されるとともに、記録装置３における撮像画像の記録が開始される。したがって、ユーザが日常生活における殆どの行動について、後で分析したり、追体験を行うことができる。また、ユーザが後で分析や追体験を行うのに必要でない無駄な撮像画像の記録が抑えられるので、撮像画像を記録する記録装置３に要求される必要な記憶容量が十分に抑えられる。このため、システムを小型で安価に構築できる。【選択図】図１
2008160612.tif 000002
【特許請求の範囲】
【請求項１】
撮像領域を撮像する撮像手段、および、この撮像手段により撮像した撮像領域の撮像画像を出力する撮像画像出力手段を備えた撮像装置と、
前記撮像装置の撮像画像出力手段が出力している撮像画像を取り込んで記録する記録手段を備えた記録装置と、
前記撮像装置、および前記記録装置を遠隔制御する遠隔制御手段を備えたリモコンと、を有する記録システムにおいて、
前記リモコンは、
本体周辺の環境変化を検出する環境変化検出手段と、
前記環境変化検出手段が本体周辺の環境変化を検出したとき、および本体に対する入力操作が行われたときに、前記遠隔制御手段により、前記撮像装置に対して撮像領域の撮像開始を指示するとともに、前記記録装置に対して撮像画像の記録開始を指示する開始指示手段と、
本体周辺の音声を集音し、集音した音声に基づく音声信号を送出する音声信号送出手段と、を備え、
前記記録装置は、
前記記録手段が、前記リモコンの前記音声信号送出手段が送出した音声信号と、前記撮像装置で撮像されている撮像画像と、を取り込んで記録する手段であり、
前記撮像装置は、
前記撮像手段による撮像領域の撮像を予め定められたタイミングで開始する撮像開始タイミング制御手段と、
前記撮像手段により撮像している撮像領域の撮像画像に変化が生じているかどうかを判定する変化判定手段と、
前記変化判定手段により、撮像画像に変化が生じていると判定した場合に、前記撮像手段による撮像領域の撮像を継続し、撮像画像に変化が生じていないと判定した場合に、前記撮像手段による撮像領域の撮像を停止する撮像制御手段と、を備えている、
記録システム。
【請求項２】
撮像領域を撮像する撮像手段、および、この撮像手段により撮像した撮像領域の撮像画像を出力する撮像画像出力手段を備えた撮像装置と、
前記撮像装置の撮像画像出力手段が出力している撮像画像を取り込んで記録する記録手段を備えた記録装置と、
前記撮像装置、および前記記録装置を遠隔制御する遠隔制御手段を備えたリモコンと、を有する記録システムにおいて、
前記リモコンは、
本体周辺の環境変化を検出する環境変化検出手段と、
前記環境変化検出手段が本体周辺の環境変化を検出したときに、前記遠隔制御手段により、前記撮像装置に対して撮像領域の撮像開始を指示するとともに、前記記録装置に対して撮像画像の記録開始を指示する開始指示手段と、を備えている、
記録システム。
【請求項３】
前記リモコンは、
本体周辺の音声を集音し、集音した音声に基づく音声信号を送出する音声信号送出手段を備え、
前記記録装置の記録手段は、
前記リモコンの前記音声信号送出手段が送出した音声信号と、前記撮像装置で撮像されている撮像画像と、を取り込んで記録する手段である、
請求項２に記載の記録システム。
【請求項４】
前記リモコンの前記開始指示手段は、
本体に対する入力操作が行われたときにも、前記遠隔制御手段により、前記撮像装置に対して撮像領域の撮像開始を指示するとともに、前記記録装置に対して撮像画像の記録開始を指示する手段である、
請求項２または３に記載の記録システム。
【請求項５】
前記撮像装置は、
前記撮像手段による撮像領域の撮像を予め定められたタイミングで開始する撮像開始タイミング制御手段を備えている、
請求項２〜４のいずれかに記載の記録システム。
【請求項６】
前記撮像装置は、
前記撮像手段により撮像している撮像領域の撮像画像に変化が生じているかどうかを判定する変化判定手段と、
前記変化判定手段により、撮像画像に変化が生じていると判定した場合に、前記撮像手段による撮像領域の撮像を継続し、撮像画像に変化が生じていないと判定した場合に、前記撮像手段による撮像領域の撮像を停止する撮像制御手段と、を備えている、
請求項２〜５のいずれかに記載の記録システム。
【発明の詳細な説明】
【技術分野】
【０００１】
この発明は、ユーザの行動を撮像して記録することで、ユーザがそのときの行動を後で追跡することができる記録システムに関する。
【背景技術】
【０００２】
従来、ユーザの行動を撮像して記録することにより、ユーザがそのときの行動を後で追跡することできる、ライフログと呼ばれる技術がある。この技術は、ユーザが記録された自身の行動を追跡することによって過去の行動に対する分析や追体験を可能にする、技術である。特にパソコンを使用する際に行われるユーザの全ての操作・動作を、後から追跡するために提案された技術である。
【０００３】
また、上述のライフログにかかる技術とは異なるが、ドアホンの呼出鈴が押されると、ドアホンに設けられたカメラでの撮像を開始し、その撮像画像の録画を開始することや、留守録モード設定時にテレビ電話を録画する提案がなされている（特許文献１参照）。また、屋外に設置されたマイクロフォンで周辺における音の変化を監視し、その変化が大きいときに異常であると判断し、屋外カメラでの撮像を開始するとともに、その撮像画像の録画を開始する提案がなされている（特許文献２参照）。
【特許文献１】特開平９−６５２２４号公報
【特許文献２】特開２００２−１５８９９６号公報
【発明の開示】
【発明が解決しようとする課題】
【０００４】
しかしながら、従来提案されているライフログにかかる技術では、ユーザの行動の記録開始や、記録終了にかかる操作をユーザ自身が行っていたり、パソコン等の特定の装置が起動されたときに記録を開始し、当該装置が停止されたときに記録を停止する構成であった。すなわち、ユーザが後で分析や追体験を行うことを前提とした行動しか、記録して残すことができなかった。一方で、ユーザが後で分析や追体験を行うことを前提とする行動は、ユーザの日常生活におけるごく一部の行動である。したがって、ユーザは、日常生活における殆どの行動について、後で分析したり、追体験を行うことができない。言い換えれば、ユーザは、後で分析や追体験が行える行動が日常生活における一部の行動に限られていた。
【０００５】
なお、常に、ユーザの行動を撮像し記録しつづければ、日常生活における殆どの行動を記録して残すことはできる。しかし、この場合には、ユーザが写っていない撮像画像、すなわちユーザが後で分析や追体験を行うのに必要でない無駄な撮像画像まで記録することになる。したがって、撮像画像を記録するために必要な記憶容量が非常に大きくなる。その結果、システムの大型化やコストアップという問題が生じる。
【０００６】
この発明の目的は、ユーザが日常生活における殆どの行動について、後で分析したり、追体験を行うことができ、且つ小型で安価な記録システムを提供することにある。
【課題を解決するための手段】
【０００７】
この発明の記録システムは、上記課題を解決するために以下の構成を備えている。
【０００８】
（１）撮像領域を撮像する撮像手段、および、この撮像手段により撮像した撮像領域の撮像画像を出力する撮像画像出力手段を備えた撮像装置と、
前記撮像装置の撮像画像出力手段が出力している撮像画像を取り込んで記録する記録手段を備えた記録装置と、
前記撮像装置、および前記記録装置を遠隔制御する遠隔制御手段を備えたリモコンと、を有する記録システムにおいて、
前記リモコンは、
本体周辺の環境変化を検出する環境変化検出手段と、
前記環境変化検出手段が本体周辺の環境変化を検出したときに、前記遠隔制御手段により、前記撮像装置に対して撮像領域の撮像開始を指示するとともに、前記記録装置に対して撮像画像の記録開始を指示する開始指示手段と、を備えている。
【０００９】
この構成では、リモコンに設けられている環境変化検出手段が、リモコン周辺の環境変化を検出する。例えば、周辺における音声や、振動の変化を周辺環境の変化として検出する。環境変化検出手段によりリモコン周辺の環境変化が検出されると、開始指示手段が撮像装置に対して撮像開始を指示するとともに、記録装置に対して撮像装置による撮像画像の記録開始を指示する。これにより、撮像装置で撮像されている撮像画像が、記録装置で記録される。
【００１０】
多くの場合、リモコン周辺に人が来たときや、リモコン周辺から人が離れるときに、リモコン周辺の環境が変化する。また、多くのユーザは、リモコンの使い勝手等を考慮してテーブルの上等をその置き場所に決めている。このため、リモコンの置き場所が頻繁に変わることはない。したがって、リモコンの置き場所周辺が、撮像領域となるように撮像装置を設置しておけば、ユーザがリモコン周辺で起こした行動を、ライフログとして記録することができる。また、ユーザが撮像領域内にいないときの撮像画像の記録が抑えられる。すなわち、ユーザが後で分析や追体験を行うのに必要でない無駄な撮像画像の記録が抑えられる。したがって、ユーザが日常生活における殆どの行動について、後で分析したり、追体験を行うことができるとともに、撮像画像を記録する記録装置に要求される必要な記憶容量が十分に抑えられる。このため、システムを小型で安価に構築できる。
【００１１】
（２）前記リモコンは、
本体周辺の音声を集音し、集音した音声に基づく音声信号を送出する音声信号送出手段を備え、
前記記録装置の記録手段は、
前記リモコンの前記音声信号送出手段が送出した音声信号と、前記撮像装置で撮像されている撮像画像と、を取り込んで記録する手段である。
【００１２】
この構成では、撮像画像だけでなく、音声も記録するので、ユーザが後で行う行動の分析や追体験がより正確に行える。
【００１３】
（３）前記リモコンの前記開始指示手段は、
本体に対する入力操作が行われたときにも、前記遠隔制御手段により、前記撮像装置に対して撮像領域の撮像開始を指示するとともに、前記記録装置に対して撮像画像の記録開始を指示する手段である。
【００１４】
この構成では、リモコンを操作した直後のユーザの行動を記録して残すことができ、リモコンの操作にかかる行動についての分析や追体験が確実に行える。
【００１５】
（４）前記撮像装置は、
前記撮像手段による撮像領域の撮像を予め定められたタイミングで開始する撮像開始タイミング制御手段を備えている。
【００１６】
この構成では、予め定められたタイミングで撮像装置の撮像手段による撮像が開始され、記録装置において撮像画像の記録が行われる。
【００１７】
（５）前記撮像装置は、
前記撮像手段により撮像している撮像領域の撮像画像に変化が生じているかどうかを判定する変化判定手段と、
前記変化判定手段により、撮像画像に変化が生じていると判定した場合に、前記撮像手段による撮像領域の撮像を継続し、撮像画像に変化が生じていないと判定した場合に、前記撮像手段による撮像領域の撮像を停止する撮像制御手段と、を備えている。
【００１８】
この構成では、記録装置が、ユーザが撮像領域内にいないときの撮像画像や、撮像領域内でユーザがほとんど行動していないときの撮像画像等、ユーザが後で分析や追体験を行うのに必要でない無駄な撮像画像の記録が一層十分に抑えられる。したがって、システムを一層小型で安価に構築できる。
【発明の効果】
【００１９】
この発明によれば、ユーザが日常生活における殆どの行動について、後で分析したり、追体験を行うことができるとともに、撮像画像を記録する記録装置に要求される必要な記憶容量が十分に抑えられる。このため、システムを小型で安価に構築できる。
【発明を実施するための最良の形態】
【００２０】
以下、この発明の実施形態である記録システムについて説明する。
【００２１】
図１は、この発明の実施形態である記録システムを示す図である。この実施形態の記録システムは、テレビ受像機１と、撮像装置２と、記録装置３と、リモコン４と、を備えている。この記録システムは、ユーザの行動を撮像して記録することにより、ユーザがそのときの行動について、分析や追体験を可能にするシステムである。この記録システムは、テレビ受像機１が設置されているリビングルーム等、ユーザが日常生活において比較的長い時間過ごす場所における当該ユーザの行動をライフログとして残すシステムである。
【００２２】
テレビ受像機１は、図示していないアンテナで受信されているテレビ放送信号から選局されているチャンネルの信号を抽出し、そのチャンネルで放送されている番組の映像および音声を出力する。撮像装置２は、テレビ受像機１で番組を視聴しているユーザが撮像できるように、その撮像領域を決めて設置している。多くのユーザは、テレビ受像機１を部屋に設置するとき、その部屋における自分の居場所を考慮して、その設置場所を決めている。したがって、多くの場合、ユーザは、テレビ受像機１を設置している部屋にいるとき、このテレビ受像機１で番組を視聴しているかどうかにかかわらず、このテレビ受像機１で番組が視聴できる場所にいる。すなわち、ユーザはテレビ受像機１を設置している部屋にいるとき撮像装置２の撮像領域内にいる。記録装置３は、撮像装置２で撮像されている撮像画像をハードディスク等の記録媒体に記録する。テレビ受像機１、撮像装置２、および記録装置３は、相互に接続されている。テレビ受像機１では、撮像装置２で撮像されている撮像画像や、記録装置３に記録されている記録画像を表示することもできる。
【００２３】
また、リモコン４は、テレビ受像機１、撮像装置２、および記録装置３を遠隔制御するものである。この実施形態では、リモコン４が電波や赤外線で送出した制御信号はテレビ受像機１で受信される。テレビ受像機１は、リモコン４からの制御信号がどの装置に対するものであるかを判断し、自機に対するものでなければ、受信した制御信号を該当する装置に転送する。テレビ受像機１は、自機に対する制御信号を受信したときには、その制御信号に基づく動作を行う。例えば、電源のオン／オフ、チャンネルの切り換えを行う。また、撮像装置２、および記録装置３は、テレビ受像機１を介してリモコン４からの制御信号が送られてきたときに、その制御信号に基づく動作を行う。このように、この実施形態の記録システムでは、リモコン４は、テレビ受像機１を介して撮像装置２、および記録装置３の遠隔制御を行う。リモコン４は、上述したようにテレビ受像機１を遠隔制御するものであることから、多くのユーザはリモコン４の置き場所を、テレビ受像機１で番組を視聴するときの自分の居場所付近に決めている。
【００２４】
なお、この実施形態では、テレビ受像機１、撮像装置２、および記録装置３は、個別の装置として説明するが、これらを１つの筐体に収納した一体型の装置として構成してもよいし、いずれか２つの装置を１つの筐体に収納した構成としてもよい。
【００２５】
次に、各装置の構成について説明する。図２は、テレビ受像機の主要部の構成を示す図である。テレビ受像機１は、制御部１０と、外部入出力部１１と、受信部１２と、表示部１３と、音声出力部１４と、操作部１５と、リモコン受信部１６と、を備えている。制御部１０は、本体各部の動作を制御する。外部入出力部１１には、撮像装置２、および記録装置３が接続される。外部入出力部１１は、撮像装置２からの撮像画像の入力や、記録装置３からの記録画像の入力を受け付ける。また、外部入出力部１１は、記録装置３に対して画像を出力する。また、外部入出力部１１は、撮像装置２との制御信号の入出力や、記録装置３との制御信号の入出力を行う機能も有している。
【００２６】
受信部１２は、図示していないアンテナが接続されており、このアンテナで受信されているテレビ放送信号が入力される。また、外部入出力部１１に入力されている撮像画像や記録画像も入力される。受信部１２は、選局されているチャンネルのテレビ放送信号を抽出するチューナを有している。受信部１２は、選局されているチャンネルの画像信号、および音声信号を出力する。受信部１２では、外部入出力部１１からの入力チャンネルも選局できる。表示部１３は、表示器を有し、受信部１２が出力している画像信号に基づく画像をこの表示器で表示する。音声出力部１４は、スピーカを有し、受信部１２が出力している音声信号に基づく音声をこのスピーカで放音する。操作部１５は、本体に対する入力操作を受け付ける。リモコン受信部１６は、リモコン４からの制御信号を受信する。
【００２７】
図３は、撮像装置の主要部の構成を示す図である。撮像装置２は、制御部２０と、撮像部２１と、撮像画像出力部２２と、制御信号入出力部２３と、を備えている。制御部２０は、本体各部の動作を制御する。撮像部２１は、ＣＣＤ等の撮像素子や対物レンズ等を含む撮像光学系を有し、撮像領域を撮像する。撮像画像出力部２２は、撮像部２１が撮像している撮像画像を表示装置１や記録装置３へ出力する。制御信号入出力部２３は、表示装置１や記録装置３との間における制御信号の送受信を行う。
【００２８】
なお、制御部２０は、後述するように、撮像部２１で撮像された撮像画像を処理する画像処理機能を有している。
【００２９】
図４は、記録装置の主要部の構成を示す図である。記録装置３は、制御部３０と、画像入出力部３１と、記録部３２と、制御信号入出力部３３と、を備えている。制御部３０は、本体各部の動作を制御する。画像入出力部３１は、テレビ受像機１や撮像装置２との間における画像の入出力を制御する。記録部３２は、画像入出力部３１に入力されている画像をハードディスク等の記録媒体に記録する。また、記録部３２は、記録媒体に記録している画像を読み出して出力する機能（所謂、再生機能）も有している。制御信号入出力部２３は、表示装置１や撮像装置２との間における制御信号の送受信を行う。
【００３０】
図５は、リモコンの主要部の構成を示す図である。リモコン４は、制御部４０と、操作部４１と、送信部４２と、振動検出部４３と、集音部４４と、を備えている。制御部４０は、本体各部の動作を制御する。操作部４１は、ユーザによる入力操作を受け付ける。送信部４２は、操作部４１における入力操作に応じた制御信号を送出する。振動検出部４３は、振動検出センサを有し、この振動検出センサにより本体の振動を検出する。集音部４４は、マイクロフォン（以下、単にマイクと言う。）を有し、本体周辺の音声を集音する。振動検出部４３、および集音部４４がこの発明で言う環境変化検出手段を構成する。
【００３１】
以下、この発明の実施形態である記録システムにおける各装置の動作について説明する。図６は、テレビ受像機の動作を示すフローチャートである。図７は、撮像装置２の動作を示すフローチャートである。図８は、記録装置３の動作を示すフローチャートである。図９は、リモコンの動作を示すフローチャートである。
【００３２】
テレビ受像機１は、リモコン受信部１６において、リモコン４からの制御信号を受信すると、その制御信号が自機に対するものであるか、それとも撮像装置２、または記録装置３のいずれに対するものであるかを判定する（ｓ２）。リモコン４から送出される制御信号には、その制御信号を与える装置を示すコードが含まれている。テレビ受像機１は、このコードから、今回受信したリモコン４からの制御信号がどの装置に対するものであるか判定する。テレビ受像機１は、今回受信したリモコンからの制御信号が自機に対するものであれば、その制御信号に基づく動作を行い（ｓ３、ｓ４）、ｓ１に戻る。ｓ４では、電源のオン／オフやチャンネルの切り換え等にかかる動作を行う。また、テレビ受像機１は、自機に対するものでなければ、今回受信したリモコン４からの制御信号をｓ２で判定した装置に転送し（ｓ５）、ｓ１に戻る。ｓ５では、外部入出力部１１から、今回受信した制御信号を出力する。
【００３３】
このように、リモコン４からの制御信号は、テレビ受像機１を介して撮像装置２や、記録装置３に送られる。したがって、ユーザは、テレビ受像機１、撮像装置２、および記録装置３をリモコン４で遠隔制御することができる。
【００３４】
なお、ここでは、撮像装置２や、記録装置３には、テレビ受像機１を介してリモコン４からの制御信号が送られるとしたが、テレビ受像機１、撮像装置２、および記録装置３にそれぞれリモコン受信部を設け、受信したリモコン４からの制御信号が自機に対するものであれば、その制御信号に基づく動作を行い、自機に対するものでなければ無視するように構成してもよい。このように構成しても、ユーザは、テレビ受像機１、撮像装置２、および記録装置３をリモコン４で遠隔制御することができる。
【００３５】
次に、図７を参照しながら、撮像装置２の動作について説明する。撮像装置２は、予め定められている撮像タイミングになるか、リモコン４からの撮像開始指示にかかる制御信号を受信するのを待つ（ｓ１１、ｓ１２）。例えば、前回の撮像停止からの経過時間が、予め定めた一定時間（例えば、３０分）経過したタイミングを撮像タイミングとしてよいし、毎正時等の時刻を撮像タイミングとしてもよい。撮像装置２は、予め定められたタイミング、または撮像開始の指示があると撮像部２１で撮像領域の撮像を開始する（ｓ１３）。撮像装置２は、ｓ１３で撮像領域の撮像を開始すると、撮像部２１で撮像している撮像画像を撮像画像出力部２２から出力する。撮像画像出力部２２から出力された画像は、テレビ受像機１、および記録装置３に入力される。撮像装置２は、ｓ１３で撮像を開始すると、記録装置３に対して出力している撮像画像の記録開始を指示する（ｓ１４）。この記録開始の指示は、制御信号入出力部２３から出力される。ｓ１４にかかる指示は、記録装置３の状態を判断し、必要に応じて出力するようにしてもよい。言い換えれば、記録装置３のそのときの状態が、出力している撮像画像を記録していない状態であれば出力し、記録している状態であれば出力しないように構成してもよい。
【００３６】
撮像装置２は、制御部２において撮像部２１で撮像されている撮像画像を処理し、撮像画像に変化があるかどうかを判定する（ｓ１５）。ｓ１５では、その時点で撮像されている撮像画像と、一定時間前（例えば５秒前）に撮像された撮像画像と、の差分画像を生成し、この差分画像に基づいて、撮像画像に変化があるかどうかを判定する。撮像装置２は、撮像画像に変化がないと判断すると、すなわち撮像領域において動いている物体がないと判断すると、記録装置３に対して出力している撮像画像の記録停止を指示する（ｓ１６）。この記録停止の指示も、制御信号入出力部２３から出力される。ｓ１６にかかる指示は、記録装置３の状態を判断し、必要に応じて出力するようにしてもよい。言い換えれば、記録装置３のそのときの状態が、出力している撮像画像を記録している状態であれば出力し、記録していない状態であれば出力しないように構成してもよい。撮像装置２は、撮像部２１における撮像領域の撮像を停止し（ｓ１７）、ｓ１１に戻る。
【００３７】
次に、図８を参照しながら記録装置３の動作について説明する。記録装置３は、記録開始の指示を待っている（ｓ２１）。この記録開始の指示は、テレビ受像機１を介して送られてくる場合もあれば、撮像装置２から送られてくる場合もある。記録装置３は、記録開始の指示があると、撮像装置２が撮像画像出力部２２から出力している撮像画像を記録部３２に記録する記録処理を開始する（ｓ２２）。記録装置３は、ｓ２２で撮像画像の記録を開始すると、記録停止の指示を待つ（ｓ２３）。この記録停止の指示も、テレビ受像機１を介して送られてくる場合もあれば、撮像装置２から送られてくる場合もある。記録装置３は、記録停止の指示があると、撮像装置２が撮像画像出力部２２から出力している撮像画像を記録部３２に記録するのを停止し（ｓ２４）、ｓ２１に戻る。
【００３８】
上述したように、撮像装置２は、撮像部２１における撮像領域の撮像を開始するときに、記録装置３に対して撮像画像の記録開始を指示し、撮像部２１における撮像領域の撮像を停止するときに、記録装置３に対して撮像画像の記録停止を指示する、また、記録装置３は、記録開始の指示があると撮像画像の記録を開始し、記録停止の指示があると撮像画像の記録を停止する。したがって、記録装置３において、撮像装置２が撮像した撮像領域の撮像画像を記録することできる。
【００３９】
次に、図９を参照しながら、リモコン４の動作について説明する。リモコン４は、振動検出部４３で検出されている本体の振動レベルが予め定めた一定レベルを超えるか、集音部４４で集音されている音声のレベルが予め定めた一定レベルを超えるか、または操作部４１において何らかの入力操作が行われるのを待つ（ｓ３１〜ｓ３３）。ｓ３１、ｓ３２では、リモコン４周辺の環境変化を検出している。ｓ３１では、リモコン４周辺に人が来たときや、リモコン４周辺から人が離れたとき等が検出できる。また、ｓ３２では、リモコン周辺にいるユーザが、突然大声を出したとき等が検出できる。例えば、番組を視聴しているユーザが笑ったときの検出が行える。
【００４０】
リモコン４は、本体の振動レベルが予め定めた一定レベルを超えるか、または音声のレベルが予め定めた一定レベルを超えると、撮像装置２に対して撮像開始を指示する制御信号を送出するとともに、記録装置３に対して撮像画像の記録開始を指示する制御信号を送出し（ｓ３５、ｓ３６）、ｓ３１に戻る。上述したように、リモコン４の送信部４２から送出された制御信号は、テレビ受像機１を介して対応する装置（撮像装置２や記録装置３）に通知される。そして、撮像装置２は、このリモコン４からの制御信号にしたがって撮像領域の撮像を開始するとともに、記録装置３は撮像画像の記録を開始する。したがって、リモコン４周辺の環境が変化したときに、自動的に撮像装置２による撮像領域の撮像を開始し、その撮像画像を記録装置３に記録して、残すことができる。したがって、ユーザがリモコン周辺で起こした行動を、ライフログとして記録することができる。
【００４１】
リモコン４は、操作部４１において何らかの入力操作が行われると、その入力操作に応じた制御信号を送出し（ｓ３４）、上述したｓ３５、ｓ３６にかかる処理を実行する。したがって、リモコン４を操作した直後のユーザの行動を記録することができる。
【００４２】
このように、この実施形態の記録システムによれば、ユーザが日常生活における殆どの行動について、後で分析したり、追体験を行うことができる。また、撮像装置２が、上述したｓ１５〜ｓ１７にかかる処理を行うので、ユーザが撮像領域内にいないときの撮像画像や、撮像領域内でユーザがほとんど行動していないときの撮像画像等、ユーザが後で分析や追体験を行うのに必要でない無駄な撮像画像が記録装置３に記録されるのを抑えることができる。このため、撮像画像を記録する記録装置３に要求される必要な記憶容量が十分に抑えられ、システムを小型で安価に構築できる。
【００４３】
また、リモコン４が、集音部４４で集音している音声を送出し、記録装置３が撮像画像とともに、このリモコン４から送出された音声を記録する構成としてもよい。この場合、リモコン４は、集音部４４で集音している音声にかかる音声信号を送信部４２において送出する構成としてもよいし、別途音声信号を送出する構成を設けてもよい。この音声信号は、上述したようにテレビ受像機１を介して記録装置３に送られる構成であってもよいし、直接記録装置３に送られる構成であってもよい。このようにすれば、撮像画像だけでなく、音声も記録されるので、ユーザが後で行う行動の分析や追体験がより正確に行える。
【００４４】
また、リモコン４を電話機の受話器として利用できるように構成し、通話時に撮像画像と、音声と、を記録装置３に記録する構成としてもよい。このようにすれば、電話をしているときの行動や、電話の内容を記録装置３に記録することができる。
【００４５】
さらに、リモコン４をテレビ電話機の、受話器として利用できるように構成し、通話時に撮像画像と、音声と、さらに相手側から送られてきた受信画像を記録装置３に記録する構成としてもよい。このようにすれば、電話をしているときの行動や、電話の内容、さらには相手側の受信画像も記録装置３に記録することができる。
【００４６】
なお、リモコン４を受話器として構成する場合に、電話機能の本体部分にかかる構成については、リモコン４に設けてもよいし、テレビ受像機１等の他の装置に設けてもよい。
【図面の簡単な説明】
【００４７】
【図１】この発明の実施形態である記録システムを示す図である。
【図２】テレビ受像機の主要部の構成を示す図である。
【図３】撮像装置の主要部の構成を示す図である。
【図４】記録装置の主要部の構成を示す図である。
【図５】リモコンの動作を示すフローチャートである。
【図６】テレビ受像機の動作を示すフローチャートである。
【図７】撮像装置の動作を示すフローチャートである。
【図８】記録装置の動作を示すフローチャートである。
【図９】リモコンの動作を示すフローチャートである。
【符号の説明】
【００４８】
１−テレビ受像機
２−撮像装置
３−記録装置
４−リモコン装置
１０−制御部
１１−外部入出力部
１２−受信部
１３−表示部
１４−音声出力部
１５−操作部
１６−リモコン受信部
２０−制御部
２１−撮像部
２２−撮像画像出力部
２３−制御信号入出力部
３０−制御部
３１−画像入出力部
３２−記録部
３３−制御信号入出力部
４０−制御部
４１−操作部
４２−送信部
４３−振動検出部
４４−集音部
【図１】
2008160612.tif 000003
【図２】
2008160612.tif 000004
【図３】
2008160612.tif 000005
【図４】
2008160612.tif 000006
【図５】
2008160612.tif 000007
【図６】
2008160612.tif 000008
【図７】
2008160612.tif 000009
【図８】
2008160612.tif 000010
【図９】
2008160612.tif 000011